(57)【要約】【課題】  第１回転体対と第２回転体対との間隔が狭くても、シートに完全なループが形成できるようにして、シートの搬送むらを少なくする。【解決手段】  シート搬送装置２１は、シートを搬送する第１搬送ローラ対３と、第１搬送ローラ対によって搬送されてきたシートを第１搬送ローラ対よりも遅いシート搬送速度で搬送する第２搬送ローラ対４と、第１搬送ローラ対と第２搬送ローラ対４との間でシートを案内するシート搬送ガイド１と、シートが第２搬送ローラ対に到達した後に、シート搬送ガイドをシート案内位置から待避位置に移動させる搬送ガイド移動機構５と、を備えている。【選択図】      図１
2006176296.tif 000002
【特許請求の範囲】
【請求項１】
シートを搬送する第１回転体対と、
前記第１回転体対によって搬送されてきたシートを前記第１回転体対よりも遅いシート搬送速度で搬送する第２回転体対と、
前記第１回転体対と前記第２回転体対との間でシートを案内する搬送ガイドと、
前記第２回転体対にシートが到達した後に、前記搬送ガイドをシート案内位置から待避位置に移動させる搬送ガイド移動手段と、
を備えたことを特徴とするシート搬送装置。
【請求項２】
前記搬送ガイド移動手段が、シートの先端に押されて回転するレジシャッタと、前記レジシャッタに連動して前記搬送ガイドを待避位置に移動させるカムとを備えたことを特徴とする請求項１に記載のシート搬送装置。
【請求項３】
前記搬送ガイド移動手段が、シートの先端に押されて回転するレジシャッタと、前記レジシャッタの回転運動を直線運動に変換して前記搬送ガイドを待避位置に移動させる直線運動機構とを備えたことを特徴とする請求項１に記載のシート搬送装置。
【請求項４】
前記搬送ガイド移動手段が、シートを検知するセンサと、前記センサによって作動して前記搬送ガイドを待避位置に待避させるソレノイドとを備えたことを特徴とする請求項１に記載のシート搬送装置。
【請求項５】
前記搬送ガイドが、離間対向して湾曲した１対のガイド部材を有し、湾曲外側のガイド部材が退避可能であることを特徴とする請求項１ないし４のいずれか１項に記載のシート搬送装置。
【請求項６】
画像形成手段にシートを搬送する請求項１ないし５のいずれか１項に記載のシート搬送装置と、
前記シート搬送装置によって搬送されてきたシートに画像を形成する画像形成手段と、
を備えたことを特徴とする画像形成装置。
【発明の詳細な説明】
【技術分野】
【０００１】
本発明は、シートを一旦撓ませて搬送するシート搬送装置と、この装置を装置本体に備えた画像形成装置とに関する。
【背景技術】
【０００２】
従来、シートを搬送するシート搬送装置は、シートに画像を形成する画像形成装置やシートに処理を施すシート処理装置等のシートを取り扱う装置に装備されている。
【０００３】
画像形成装置には、一例として、電子写真方式を利用して、粉末状のトナーをシートに静電吸着させてカラートナー像を形成するカラープリンタがある。
【０００４】
図６は、従来のシート搬送装置を備えたカラープリンタのシート搬送方向に沿った断面図である。このカラープリンタ１０１は、シート搬送装置１０２から供給されたシートを、感光ドラム１０７と転写器１０６ｄとの間を通過する転写搬送ベルト１０６ａに静電吸着させて搬送し、シートが各色の感光ドラム７を通過する間に、そのシートにＹ（イエロー）、Ｍ（マゼンダ）、Ｃ（シアン）、ブラック（Ｂ）のカラートナー像を順次転写してカラー画像を形成するようになっている。
【０００５】
ところが、この形式のカラープリンタ１０１は、感光ドラム１０７に対するシートの搬送速度にむらがあると、各カラートナー像同士にずれが生じて、画質が低下することになる。
【０００６】
一方、シート搬送装置１０２は、シートを搬送する第１ローラ対１０３と、この第１ローラ対１０３から搬送されてきてシートを搬送する第２ローラ対１０４と、第１、第２ローラ対１０３，１０４の間でシートを案内するガイド部材１０５などを備えている。
【０００７】
第１、第２ローラ対１０３，１０４、転写搬送ベルト１０６ａの各シート搬送速度をそれぞれ、Ｖ１、Ｖ２、Ｖ３とする。Ｖ２をＶ３と同じにして、Ｖ２とＶ３とが常時一定であれば、各カラートナー像同士にずれを生じることがない。しかし、第２ローラ対１０４の駆動ローラ１０４ａの外径は公差がある。また、外径は摩耗によって変化する。このことから、Ｖ２をＶ３と同じにするのが困難である。ましてや、転写機構１０６の駆動ローラ１０６ｂの外径も交差があり、摩耗によって変化するため、Ｖ２とＶ３とを常時一定にしておくことが困難である。
【０００８】
そこで、第２ローラ対１０４のシート搬送速度Ｖ２を転写搬送ベルト１０６ａのシート搬送速度Ｖ３より速くして（Ｖ２＞Ｖ３）、転写搬送ベルト１０６ａと第２ローラ対１０４との間に、搬送されるシートにループが生じるようにし、第２ローラ対１０４の搬送が、転写搬送ベルト１０６ａのシート搬送に影響を与えないようにすることが考えられる。
【０００９】
しかし、第２ローラ対１０４がシートを挟持して搬送する搬送力が転写搬送ベルト１０６ａのシート吸着力より大きく、かつ搬送するシートの剛性が強い場合、例えば、約１６３ｇ／ｍ２以上の厚紙などはループができにくい。このため、第２ローラ対１０４は、シートを転写搬送ベルト１０６ａへ押し込んで、シートを転写搬送ベルト６ａに対して下流側へ滑らせ、各カラートナー像同士にずれを生じさせることがある。
【００１０】
また、第２ローラ対１０４のシート搬送速度Ｖ２を転写搬送ベルト１０６ａのシート搬送速度Ｖ３より遅くする（Ｖ２＜Ｖ３）ことが考えられる（特許文献１参照）。Ｖ２＜Ｖ３に設定すると、転写搬送ベルト１０６ａが、第２ローラ対１０４が搬送しているシートを第２ローラ対１０４から引っ張り出して搬送することになる。このため、第２ローラ対１０４が、転写搬送ベルト１０６ａのシート搬送の抵抗になって、転写搬送ベルト１０６ａのシート搬送速度Ｖ３にむらが生じることがあった。
【００１１】
そこで、特許文献１に記載の装置は、第２ローラ対１０４の駆動軸にワンウェイクラッチなどを設けて、第１ローラ対１０３のシート搬送速度Ｖ１を第２ローラ対１０４のシート搬送速度Ｖ２より速くして（Ｖ１＞Ｖ２）、第２ローラ対１０４の上流側でシートにループが生じるようにして、転写搬送ベルト１０６ａのシート搬送速度にむらが生じないようにしてある。
【００１２】
【特許文献１】特開２００２−２４９２５８号公報
【発明の開示】
【発明が解決しようとする課題】
【００１３】
しかし、近年、画像形成装置の本体サイズの小型化にともない、第１ローラ対１０３と第２ローラ対１０４との間隔が狭くなってきている。また、第１ローラ対１０３と第２ローラ対１０４との間でシートを案内する搬送ガイド１０５が、曲率の小さい屈曲した経路となっている。さらに、搬送ガイド１０５の内幅が、装置の小型化によって幅が狭くなってきている。なお、搬送ガイド１０５は、ユーザによって挿入される手差しシートを装置本体の横から受け入れやすくするため、湾曲している。
【００１４】
このため、従来のシート搬送装置１０２では、第１ローラ対１０３のシート搬送速度Ｖ１を第２ローラ対１０４のシート搬送速度Ｖ２より速くしているため、シートのループが徐々に大きくなって搬送ガイド１０５に接触し、搬送ガイド１０５に接触した反力によってシートが第２ローラ対１０４に押し込まれることがあった。このような現象は、搬送ガイド１０５が真っ直ぐであっても、発生していた。
【００１５】
例えば、シートの第２ローラ対１０４での搬送速度が１００ｍｍ／ｓｅｃであり、上流側の第１ローラ対１０３での搬送速度が１％速い場合、Ａ４サイズシートの縦送りで、生じるループ長さは約３ｍｍになる。
【００１６】
また、このようなシート搬送装置１０２を備えた画像形成装置は、転写搬送ベルト１０６ａにシートが所定のシート搬送速度で送り込まれることがなく、シートに品質のよい画像を形成することが困難であった。
【００１７】
本発明は、シートに完全なループが形成できるようにして、シートの搬送むらを少なくしたシート搬送装置を提供することを目的としている。
【００１８】
本発明は、シートの搬送むらを少なくしたシート搬送装置を備えて、画像の伸縮、カラーにあっては色ずれの少ない画像形成装置を提供することを目的としている。
【課題を解決するための手段】
【００１９】
上記目的を達成するため、本発明のシート搬送装置は、シートを搬送する第１回転体対と、前記第１回転体対によって搬送されてきたシートを前記第１回転体対よりも遅いシート搬送速度で搬送する第２回転体対と、前記第１回転体対と前記第２回転体対との間でシートを案内する搬送ガイドと、前記第２回転体対にシートが到達した後に、前記搬送ガイドをシート案内位置から待避位置に移動させる搬送ガイド移動手段と、を備えている。
【００２０】
上記目的を達成するため、本発明の画像形成装置は、上記シート搬送装置と、このシート搬送装置によって搬送されてきたシートに画像を形成する画像形成手段と、を備えている。
【発明の効果】
【００２１】
本発明のシート搬送装置は、搬送ガイド移動手段が、第２回転体対にシートが到達した後に、搬送ガイドをシート案内位置から待避位置に移動させるようになっているので、第１回転体対と第２回転体対との間でシートにループが形成されるとき、搬送ガイドが、逃げてループの形成の邪魔にならないようになっているので、シートが搬送ガイドにより押込まれることがなくなり、シートの搬送むらを少なくすることができる。
【００２２】
本発明の画像形成装置は、シートの搬送むらを少なくしたシート搬送装置を備えているので、画像の伸縮、カラーにあっては色ずれを少なくすることができて、画質を向上させることができる。
【発明を実施するための最良の形態】
【００２３】
以下、本発明の実施形態のシート搬送装置と、このシート搬送装置を装置本体に備えた画像形成装置としてのカラープリンタとを図に基づいて説明する。
【００２４】
図１は、第１実施形態のシート搬送装置の正面概略図である。図２は、図１のシート搬送装置において、シートをカラープリンタに送り込んでいる状態の図である。図３は、第１実施形態のシート搬送装置を備えたカラープリンタのシート搬送方向に沿った断面図である。
【００２５】
（カラープリンタ）
図３において、カラープリンタ２０は、電子写真方式を利用して、粉末状のトナーをシートに静電吸着させてカラートナー像を形成するようになっている。カラープリンタ２０は、後述するシート搬送装置２１と、このシート搬送装置２１の第２搬送ローラ対４の下流側に配設された転写機構６と、転写機構６に対向した４つの感光ドラム７などを有している。転写機構６と感光ドラム７は画像形成手段を構成している。
【００２６】
転写機構６は、転写搬送ベルト６ａ、駆動ローラ６ｂ、従動ローラ６ｃ、転写ローラ６ｄ（本実施例では４本）、受け入れローラ６ｅなどで構成されている。従動ローラ６ｃが、ばねなどの不図示の付勢部材により転写搬送ベルト６ａの外側に牽引されて、転写搬送ベルト６ａに張力を与えている。駆動ローラ６ｂが矢印Ｄ方向に回転することから、転写搬送ベルト６ａは図示Ｄ方向に循環するようになっている。感光ドラム７（本実施形態では４本）は、転写搬送ベルト６ａに隣接して、転写ローラ６ｄと対向する位置に配設してあり、矢印Ｅ方向に回転するようになっている。
【００２７】
カラープリンタ２０は、シート搬送装置２１から供給されたシートＰを、矢印Ｅ方向に回転する感光ドラム７と転写器６ｄとの間を矢印Ｄ方向に循環して通過する転写搬送ベルト６ａに静電吸着させて搬送し、シートが各色の感光ドラム７を通過する間に、Ｙ（イエロー）、Ｍ（マゼンダ）、Ｃ（シアン）、ブラック（Ｂ）のカラートナー像をシートＰに順次転写してカラー画像を形成する。
【００２８】
（第１実施形態のシート搬送装置）
シート搬送装置の構成を説明する。
【００２９】
図１、図２において、シート搬送装置２１は、シート供給部２、第１回転体対としての第１搬送ローラ対３、搬送ガイドとしてのシート搬送ガイド１、第２回転体対としての第２搬送ローラ対４、および搬送ガイド移動手段としての搬送ガイド移動機構５などを備えている。
【００３０】
シート供給部２の給紙ローラ２ａは、図１において、矢印Ａ方向に回転し、下流側の第１搬送ローラ対３へシートＰを１枚ずつ供給、搬送するようになっている。
【００３１】
第１搬送ローラ対３、第２搬送ローラ対４は、それぞれ駆動ローラ３ａ，４ａと、従動ローラ３ｂ，４ｂとで構成されている。従動ローラ３ｂ，４ｂは、不図示のばねなどの付勢部材に押されて、駆動ローラ３ａ，４ａと圧接している。図１において、第１、第２搬送ローラ対３，４は、駆動ローラ３ａ，４ａと従動ローラ３ｂ，４ｂとの間でシートを挟み、駆動ローラ３ａ，４ａが、矢印Ｂ、Ｃ方向に回転することによって、シートを介して従動ローラ３ｂ，４ｂが追従回転して、シートを搬送するようになっている。
【００３２】
また、駆動ローラ３ａ，４ａには、不図示のワンウェイクラッチを設けてある。このため、駆動ローラ３ａ，４ａは、搬送したシートが後述する転写機構６の転写搬送ベルト６ａによって、下流側へ引っ張られたとき、追従回転するようになっている。
【００３３】
シート搬送ガイド１は、第１、第２回転体対３，４の間に配設されて、湾曲した外ガイド板１ｃと内ガイド板１ｄとで、第１回転体対３によって搬送されてきたシートを第２回転体対４のニップに案内するようになっている。外ガイド板１ｃは、回転軸１ａを中心にして下流端部が傾動するようになっている。外ガイド板１ｃの下流側端部は、ばね１ｂに押されて後述する搬送ガイド移動機構５のカム８に圧接されている。なお、搬送ガイド５は、ユーザによって挿入される手差しシートを装置本体の横から受け入れやすくするため、湾曲している。
【００３４】
搬送ガイド移動機構５は、第２搬送ローラ対４の駆動ローラ４ａの軸４ｃに回動自在に設けられてシートの先端に押されて回転するレジシャッタ１１と、レジシャッタ１１と一体のカム８とで構成されている。レジシャッタ１１は、シートの搬送方向に対してほぼ垂直な突き当て面１１ａを有している。レジシャッタ１１は、不図示のばねなどの付勢部材によって矢印Ｃとは反対方向に回転付勢されて、通常、不図示のストッパによって図１の位置に位置決めされている。このため、突き当て面１１ａは、通常、第２搬送ローラ対４にニップの上流側に待機している。レジシャッタ１１は、受け止めたシートの先端に押されて回転しながら、シートにループを形成させて、シートの斜行を真っ直ぐに修正するようになっている。カム８は、大径部８ａと小径部８ｂとで形成されている。カム８の外周には、外ガイド板１ｃの傾動端部がばね１ｂによって圧接している。
【００３５】
なお、第１搬送ローラ対３、第２搬送ローラ対４、転写搬送ベルト６ａの各シート搬送速度Ｖ１、Ｖ２、Ｖ３は、Ｖ１、Ｖ３＞Ｖ２の関係に設定されているものとする。
【００３６】
シート搬送装置の動作を説明する。
【００３７】
シート供給部２から第１搬送ローラ対３へと搬送されたシートＰは、シート搬送ガイド１に案内されながら、第１搬送ローラ対３によって下流側へ搬送される。シートＰの先端は、シート搬送ガイド１に当接して、第２搬送ローラ対４のニップに接近する。その後、シートの先端は、搬送ガイド移動機構５のレジシャッタ１１の突き当て面１１ａに当接する。第１搬送ローラ対３がシートＰの上流側部分を搬送し続けるため、シート搬送ガイド１内でシートにループが形成される。シートのループの部分が、シート搬送ガイド１の外ガイド板１ｃに接触して、シートに突き当て面１１ａを下流側へ押す力が発生する。これにより、シートは、斜行している場合、斜行を修正されて、シート搬送方向に沿って真っ直ぐになる。
【００３８】
シートは、第１搬送ローラ対３によって、さらに、搬送を継続されるため、シートの先端が、レジシャッタ１１の突き当て面１１ａを押して、レジシャッタ１１の回転付勢力に抗してレジシャッタ１１を矢印Ｃ方向に回転させる。シートは、第２搬送ローラ対４のニップへ到達して、ニップに進入する。また、カム８がレジシャッタ１１と一体に回転する。
【００３９】
カム８は、回転しながら、外ガイド板１ｃに接触する部分が小径部８ｂから大径部８ａに変わって、外ガイド板１ｃをばね１ｂに抗して傾動させる。外ガイド板１ｃは、シートから離れる方向（固定の内ガイド板１ｄから離れる方向）に傾動する。すなわち、外ガイド板１ｃは、シート案内位置から待避位置に傾動する。外ガイド板１ｃの傾動によって、シート搬送ガイド１内に広い空間Ｓが形成される。
【００４０】
そして、シートは、第２搬送ローラ対４の搬送により、転写搬送ベルト６ａへと搬送されて、感光ドラム７の表面に形成されたトナー像をカラー毎に順次転写されて、カラー画像が形成される。
【００４１】
以上の動作において、シートは外ガイド板１ｃに沿ってレジシャッタ１１まで搬送され、シートの先端が、レジシャッタ１１の回転付勢力に抗してレジシャッタ１１を矢印Ｃ方向に回転させるときは、シートは外ガイド板１ｃからの反力を受けているため強く押されてシートの斜行が真っ直ぐに修正される。シートの斜行が修正されて第２搬送ローラ対４でシートの搬送がされた後は、第１、第２搬送ローラ対３，４のシート搬送速度の差（Ｖ１−Ｖ２）により、第２搬送ローラ対４の上流側にはループが徐々に形成されていく。その際には、外ガイド板１ｃが退避位置に移動しているため、シートのループは、シート搬送ガイド１内に形成された広い空間Ｓ内に逃がされて、外ガイド板１ｃに接触することがなくなり、外ガイド板１ｃからの反力によりシートの先端が第２搬送ローラ対４のニップに押し込まれることがない。仮に接触したとしても、ループが逃げた状態になっているので、シートは、ループの剛性で、シートの先端が第２搬送ローラ対４のニップに押し込まれることがほとんどなくなる。
【００４２】
したがって、本実施形態のシート搬送装置２１は、形成されるループの剛性で、シートが第２搬送ローラ対４のニップに押し込まれることがない。すなわち、シート搬送装置２１は、シートの搬送むらを少なくして、カラープリンタの転写機構６にシートを供給することができる。
【００４３】
また、シート搬送装置２１は、シートが第２搬送ローラ対４のニップに押し込まれることがないことによって、転写搬送ベルト６ａのシート搬送速度Ｖ３を乱すことがない。これによって、カラープリンタは、画像の伸縮や、色ずれの少ない画像をシートに形成することができる。
【００４４】
無論、シートの先端が、第２搬送ローラ対４のニップに到達する前の状態では、外ガイド板１ｃがループを規制する位置にいるため、シートの剛性によって斜行が修正される。
【００４５】
（第２実施形態のシート搬送装置）
図４は、第２実施形態のシート搬送装置の正面概略図である。図５は、図４のシート搬送装置において、シートをカラープリンタに送り込んでいる状態の図である。
【００４６】
第２実施形態のシート搬送装置２２は、第１実施形態のシート搬送装置２１とは搬送ガイド移動機構の構成が異なっており、その他の部分はほぼ同一である。同一部分には、同一符号を付して、その部分の説明は省略する。
【００４７】
搬送ガイド移動手段としての搬送ガイド移動機構２５は、第２搬送ローラ対４の駆動ローラ４ａの軸４ｃ上に回動自在に設けられてシートの先端に押されて回転するレジシャッタ１１と、レジシャッタ１１と一体のプレート９と、プレート９の円弧状の長孔９ａと外ガイド板１ｃの傾動端とを連結するアーム１０とで構成されている。レジシャッタ１１は、シートの搬送方向に対してほぼ垂直な突き当て面１１ａを有している。レジシャッタ１１は、不図示のばねなどの付勢部材によって矢印Ｃとは反対方向に回転付勢されて、通常、不図示のストッパによって図１の位置に位置決めされている。このため、突き当て面１１ａは、通常、第２搬送ローラ対４にニップの上流側に待機している。アーム１０と長孔９ａは、直線運動機構を構成している。
【００４８】
なお、第１搬送ローラ対３、第２搬送ローラ対４、転写搬送ベルト６ａの各シート搬送速度Ｖ１、Ｖ２、Ｖ３は、Ｖ１、Ｖ３＞Ｖ２の関係に設定されているものとする。
【００４９】
本実施形態のシート搬送装置の動作を説明する。第１実施形態のシート搬送装置２１の動作と異なる動作を説明し、同様な動作の説明は省略する。
【００５０】
シート搬送ガイド１は、シートの先端が、第２搬送ローラ対４のニップの上流にあるときは、図４に示すように、シートの先端をニップへと導く位置にある。レジシャッタ１１は、シートの先端の当接により、押されてプレート９と一体に回転する。しかし、長孔９ａとアーム１０との連結部分に遊びがあるため、アーム１０は動かない。このため、シート搬送ガイド１も回動しない。この間に、シートは、斜行している場合、斜行を修正されて、シート搬送方向に沿って真っ直ぐになる。
【００５１】
シートの先端が、第２搬送ローラ対４のニップに到達したとき、レジシャッタ１１の回動により、プレート９の長孔９ａとアーム１０との遊びが無くなる。このため、シートが第２搬送ローラ対４のニップを通過しているとき、アーム１０の操作により、シート搬送ガイド１の外ガイド板１ｃは、シートから離れる方向（固定の内ガイド板１ｄから離れる方向）に傾動する。すなわち、外ガイド板１ｃは、シート案内位置から待避位置に傾動して、シート搬送ガイド１内に広い空間Ｓが形成される。
【００５２】
これによって、本実施形態のシート搬送装置２２においても、第２搬送ローラ対４の上流側に、第１搬送ローラ対３と第２搬送ローラ対４との速度差（Ｖ１−Ｖ２）により、シートにループが生じても、そのループをシート搬送ガイド１内に形成した広い空間Ｓに逃がすことができて、シートが第２搬送ローラ対４のニップに押し込まれることがない。仮に接触したとしても、ループが逃げた状態になっているので、シートは、ループの剛性で、シートの先端を第２搬送ローラ対４のニップに押し込むことがほとんどない。
【００５３】
したがって、本実施形態のシート搬送装置２２も、形成されるループの剛性で、シートが第２搬送ローラ対４のニップに押し込まれることがない。すなわち、シート搬送装置２２は、シートの搬送むらを少なくして、カラープリンタの転写機構３にシートを供給することができる。
【００５４】
また、シート搬送装置２２は、シートが第２搬送ローラ対４のニップに押し込まれることがないことによって、転写搬送ベルト６ａのシート搬送速度Ｖ３を乱すことがない。これによって、カラープリンタは、画像の伸縮や、色ずれの少ない画像をシートに形成する。
【００５５】
本実施形態のシート搬送装置２２は、第１実施形態のシート搬送装置２１と異なって、外ガイド板１ｃにシートに接近する方向にばね１ｂの力が加わっていないので、シートがレジシャッタ１１を押す力で、上記空間を確実に形成することができて、シートに完全なループを形成させることができる。
【００５６】
なお、以上のシート搬送装置における搬送ガイド移動機構５，２５は、レジシャッタ１１に連動するカム８あるいはプレート９を回転させて、外ガイド板１ｃをシート案内位置から待避位置に待避させるようになっているが、第２搬送ローラ対４の下流側にセンサを配置し、このセンサで第２搬送ローラ対４にシートが到達したのを検知して、その検知に基づいて不図示のソレノイドで外ガイド板１ｃをシート案内位置から待避位置に待避させてもよい。また、レジシャッタ１１の回転を検知するセンサを用いてソレノイドを制御するようにしても良い。
【００５７】
また、シートを搬送するのに、第１、第２搬送ローラ対の代わりにベルト対であってもよい。
【００５８】
以上シート搬送装置は、カラープリンタに組み込まれた場合について説明したが、転写搬送ベルトを使用しないで、互いに回転する感光ドラムと転写器とでモノクロのトナー画像をシートに形成する複写機にも組み込むことができる。この場合も、複写機が、画像の伸縮の少ない画像をシートに形成することができる。
【図面の簡単な説明】
【００５９】
【図１】第１実施形態のシート搬送装置の正面概略図である。
【図２】図１のシート搬送装置において、シートをカラープリンタに送り込んでいる状態の図である。
【図３】第１実施形態のシート搬送装置を備えたカラープリンタのシート搬送方向に沿った断面図である。
【図４】第２実施形態のシート搬送装置の正面概略図である。
【図５】図４のシート搬送装置において、シートをカラープリンタに送り込んでいる状態の図である。
【図６】従来のシート搬送装置を備えたカラープリンタのシート搬送方向に沿った断面図である。
【符号の説明】
【００６０】
Ｐ      シート
Ｓ      空間
１      シート搬送ガイド（搬送ガイド）
１ａ    回転軸
１ｂ    ばね
１ｃ    外ガイド板
１ｄ    内ガイド板
３      第１搬送ローラ対（第１回転体対）
４      第２搬送ローラ対（第２回転体対）
５      搬送ガイド移動機構（搬送ガイド移動手段）
６      転写機構（画像形成手段）
６ａ    転写搬送ベルト
７      感光ドラム（画像形成手段）
８      カム
９      プレート
９ａ    長孔（直線運動機構）
１０      アーム（直線運動機構）
１１      レジシャッタ
１１ａ    突き当て面
２０      カラープリンタ（画像形成装置）
２１      第１実施形態のシート搬送装置
２２      第２実施形態のシート搬送装置
２５      搬送ガイド移動機構（搬送ガイド移動手段）
【図１】
2006176296.tif 000003
【図２】
2006176296.tif 000004
【図３】
2006176296.tif 000005
【図４】
2006176296.tif 000006
【図５】
2006176296.tif 000007
【図６】
2006176296.tif 000008